(57)【要約】【課題】下部筐体と上部筐体とで構成される携帯端末において、下部筐体の上面閉塞状態、後部側上面露出状態、及び、中央部上面露出状態の相互間を自由に移行することが可能で、迅速な操作ができる携帯端末を提供する。【解決手段】上部筐体４が下部筐体２に対してスライド可能な携帯端末１を、２個の回動板５，６の回動中心点５ａ，６ａを、回動自在に上部筐体４に支持して、２個の回動板５，６を、上部筐体４の下面に沿って併設し、２個の各回動板５，６上には、該回動板５，６上の回動中心点５ａ，６ａから同一半径の円軌道上の点である基点５ｃ，６ｃを設け、２個の基点５ｃ，６ｃと２個の回動中心点５ａ，６ａとが平行四辺形の四隅を形成するように、且つ、２個の基点５ｃ，６ｃが双方共、下部筐体２の側辺端２ｄの傍に位置するように、該２個の基点５ｃ，６ｃを下部筐体２に回転自在に支持して構成する。【選択図】図８
2011029846.tif 000002
【特許請求の範囲】
【請求項１】
下部筐体に重ねて載置された上部筐体が、前記下部筐体に対してスライド可能な携帯端末であって、
前記上部筐体の下面に沿って、２個の回動板が、前記上部筐体に該回動板の回動中心点が回動自在に支持されて、併設されており、
前記２個の各回動板上には、該回動板上の前記回動中心点から同一半径の円軌道上の点である基点が設けられ、
該２個の基点は、該２個の基点と２個の前記回動中心点とが平行四辺形の四隅を形成するように、且つ、前記２個の基点が双方共、前記下部筐体の側辺端の傍に位置するように、前記下部筐体に回転自在に支持されていることを特徴とする携帯端末。
【請求項２】
請求項１記載の携帯端末において、
２個の前記回動板は、同期して回動する携帯端末。
【請求項３】
請求項１または請求項２記載の携帯端末において、
２個の前記回動板が前後に併設され、
前記２個の基点は双方共、前記下部筐体の左右方向の一方側の側辺端の傍に位置しており、
前記２個の回動中心点を結ぶ線は、前記上部筐体の左右方向の略中央に位置しており、
前記下部筐体の上面が前記上部筐体で閉塞されている上面閉塞状態では、前記各回動板において、前記基点は前記回動中心点よりも前方に位置している携帯端末。
【請求項４】
請求項３記載の携帯端末において、
前記上部筐体を、前記回動中心点が前記基点を回転中心として円運動するように、前記下部筐体の上面に沿って移動させると、相対的に前記２個の基点がそれぞれの前記円軌道上を回動することにより、前記上面閉塞状態、前記下部筐体に対して前記上部筐体が前方へ移動して前記下部筐体の上面の後部側が露出した後部側上面露出状態、及び、前記下部筐体に対して前記上部筐体が前記下部筐体の左右方向の一方側へ移動して前記下部筐体の上面の中央部及び左右方向の他方側が露出した中央部上面露出状態の、これら３状態の相互間を移行する携帯端末。
【請求項５】
請求項４記載の携帯端末において、
前記上部筐体を、前記上面閉塞状態から前記下部筐体の上面に沿ってＣＷ方向に移動させると、後部側上面露出状態、中央部上面露出状態と移行して、前記上面閉塞状態に戻る携帯端末。
【請求項６】
請求項４または請求項５記載の携帯端末において、
前記上部筐体を、前記上面閉塞状態から前記下部筐体の上面に沿ってＣＣＷ方向に移動させると、中央部上面露出状態、後部側上面露出状態と移行して、前記上面閉塞状態に戻る携帯端末。
【請求項７】
請求項１から請求項６までのいずれか１項記載の携帯端末において、
前記下部筐体には、前記基点を軸中心とした円柱状の基点軸が回転自在に挿入された軸受孔が備えられ、前記基点軸は、前記回動板に固定されている携帯端末。
【請求項８】
請求項１から請求項７までのいずれか１項記載の携帯端末において、
前記２個の回動板は、相互に独立して回転する同形状の歯車で形成され、これらの前記２個の歯車の双方に螺合する中間歯車が備えられている携帯端末。
【請求項９】
請求項８記載の携帯端末において、
前記２個の歯車、及び、前記中間歯車は、前記上部筐体の下面側から該上部筐体内に陥没させて配設されている携帯端末。
【請求項１０】
請求項８または請求項９記載の携帯端末において、
前記下部筐体には、前記基点を軸中心とした円柱状の基点軸が回転自在に挿入された軸受孔が備えられ、前記基点軸は、前記基点が前記歯車の外周線よりも外側に位置するように前記回動板に固定されている携帯端末。
【請求項１１】
請求項８から請求項１０までのいずれか１項記載の携帯端末において、
一方の前記歯車の歯形成範囲を、該歯車の全周の一部とした携帯端末。
【発明の詳細な説明】
【技術分野】
【０００１】
本発明は、携帯電話機やＰＤＡ等の、上部筐体と下部筐体とを備え、下部筐体に重ねて載置された上部筐体が下部筐体に対してスライド可能な携帯端末に関する。
【背景技術】
【０００２】
携帯電話やＰＤＡ等の携帯端末では、一般に、上部筐体と下部筐体の２個の筐体を備え、上部筐体には、ＬＣＤ等のディスプレイを備え、下部筐体には、キーボードを備える形態が採用されている。
【０００３】
このような携帯端末では、上部筐体と下部筐体を折畳んだ形態がよく用いられているが、最近では、上部筐体を下部筐体に対してスライドさせる形態もよく用いられるようになっている。
【０００４】
このスライドさせる形態を用いた携帯端末では、携帯端末を水平にした状態で、下部筐体に対して上部筐体を前後方向にスライドさせる形態が主流であるが、最近では、この前後方向のみならず、下部筐体に対して上部筐体を左右方向にスライド可能な形態も採用されている（例えば、特許文献１参照）。
【０００５】
この特許文献１に記載のような前後方向、及び、左右方向にスライド可能な形態の携帯端末では、例えば、前後方向にスライドさせた状態では、下部筐体の表面に設けられたテンキーを主体としたキーボードが露出し、左右方向にスライドさせた状態では、下部筐体の表面に設けられたフルキーボードが露出するようになっており、場合に応じて最適な入力方法が利用可能ななっている。
【０００６】
即ち、上記の前後方向、及び、左右方向にスライド可能な形態の携帯端末では、下部筐体の上面が上部筐体で閉塞されている上面閉塞状態、下部筐体に対して上部筐体が前方へ移動して下部筐体の上面の後部側が露出した後部側上面露出状態、及び、下部筐体に対して上部筐体が下部筐体の左右方向の一方側へ移動して下部筐体の上面の中央部及び左右方向の他方側が露出した中央部上面露出状態の３つの状態が存在する。
【先行技術文献】
【特許文献】
【０００７】
【特許文献１】特開２００８−４２２６５号公報
【発明の概要】
【発明が解決しようとする課題】
【０００８】
ところで、特許文献１に記載の携帯端末では、前後方向、及び、左右方向へのスライドは、次のようにして行われる。即ち、上面閉塞状態から後部側上面露出状態にするには、直線的に前方へスライドさせる。また、上面閉塞状態から中央部上面露出状態にするには、直線的に例えば右方へスライドさせる。
【０００９】
このため、特許文献１に記載の携帯端末では、上面閉塞状態から後部側上面露出状態にするスライドの方向と、上面閉塞状態から中央部上面露出状態にするスライドの方向とが、交差することになる。
【００１０】
そうすると、特許文献１に記載の携帯端末は、スライド方向が互いに交差する２つの異なるスライド機構を重ねて設置しなければならず、携帯端末の厚さが増えることになり、携帯端末の筐体が大きくなる問題があった。
【００１１】
また、特許文献１に記載の携帯端末では、後部側上面露出状態から中央部上面露出状態にしようとすると、一旦、上面閉塞状態に戻した後に行わなければならず、携帯端末の操作性に問題があった。
【００１２】
そこで、この発明は、上記のような問題を解決するためになされたものであって、下部筐体と、該下部筐体に重ねて載置された上部筐体とで構成される携帯端末において、この携帯端末の厚さが増えるのを抑制可能であり、下部筐体の上面閉塞状態、後部側上面露出状態、及び、中央部上面露出状態の、これら３状態の相互間を自由に移行することが可能で、迅速な操作ができる携帯端末を提供しようとするものである。
【課題を解決するための手段】
【００１３】
本発明の携帯端末は、下部筐体に重ねて載置された上部筐体が、下部筐体に対してスライド可能な携帯端末である。この携帯端末には、上部筐体の下面に沿って、２個の回動板が、上部筐体に該回動板の回動中心点が回動自在に支持されて、併設されている。
【００１４】
この２個の各回動板上には、該回動板上の回動中心点から同一半径の円軌道上の点である基点が設けられている。そして、この２個の基点は、該２個の基点と２個の回動中心点とが平行四辺形の四隅を形成するように、且つ、２個の基点が双方共、下部筐体の側辺端の傍に位置するように、下部筐体に回転自在に支持されている。上記の携帯端末は、このような特徴を備えている。
【００１５】
上記の携帯端末では、２個の基点と２個の回動中心点とが平行四辺形の四隅を形成するように、回動板が上部筐体と下部筐体とに支持されている。従って、２個の基点と２個の回動中心点とが四隅を形成する平行四辺形の形状が変化することにより、下部筐体に対する上部筐体の移動が生じる。
【００１６】
このときの上記の２個の基点の移動は同じ方向である。そのため、上部筐体の移動は、下部筐体に対する平行移動となり、この上部筐体の下部筐体に対する平行移動により、上部筐体を下部筐体に対してスライドさせることができる。
【００１７】
上記の携帯端末において、２個の回動板は、同期して回動するようにする。このようにすることにより、次のような作用、効果を奏することができる。即ち、上記の携帯端末では、上述したように、該２個の基点と２個の回動中心点とが平行四辺形の四隅を形成するように、回動板が上部筐体と下部筐体とに支持されている。
【００１８】
従って、下部筐体に対する上部筐体の移動は、該２個の基点と２個の回動中心点とが四隅を形成する平行四辺形の形状が変化することにより生じる。このときの上記の２個の基点の移動は同じ方向である。そのため、上部筐体の移動は、下部筐体に対する平行移動となる。
【００１９】
そこで、上部筐体の移動により、２個の基点と２個の回動中心点とが一直線上に並んだときに、２個の回動板が同期して回動していない場合は、このとき以降の２個の基点の移動が、異なる方向になることがある。このような、２個の基点の移動が異なる方向になると、上部筐体の移動は、下部筐体に対する平行移動にはならない。
【００２０】
しかし、２個の回動板は相互に同期して回動するので、２個の基点と２個の回動中心点とが一直線上に並んだときも、このとき以降の２個の回動板の回動の同期は保持されるので、２個の基点の移動は同じ方向を継続し、下部筐体に対する上部筐体の平行移動を継続することができる。
【００２１】
上記の携帯端末では、例えば、次のように構成する。即ち、上記の携帯端末において、２個の回動板が前後に併設され、２個の基点は双方共、下部筐体の左右方向の一方側の側辺端の傍に位置しており、２個の回動中心点を結ぶ線は、上部筐体の左右方向の略中央に位置するように構成する。
【００２２】
また、下部筐体の上面が上部筐体で閉塞されている上面閉塞状態では、各回動板において、基点は回動中心点よりも前方に位置するように構成する。
【００２３】
本発明の携帯端末を、上記のように構成することで、この携帯端末において、次のようなスライド動作が実現される。
【００２４】
即ち、上部筐体を、回動中心点が基点を回転中心として円運動するように、下部筐体の上面に沿って移動させると、相対的に２個の基点がそれぞれの円軌道上を回動することにより、下部筐体に対して上部筐体を、上面閉塞状態、後部側上面露出状態、及び、中央部上面露出状態の、これら３状態の相互間を自由に移行させることができる。
【００２５】
上記の上面閉塞状態は、上述したように、下部筐体の上面が上部筐体で閉塞されている状態である。後部側上面露出状態は、下部筐体に対して上部筐体が前方へ移動して下部筐体の上面の後部側が露出した状態である。そして、中央部上面露出状態は、下部筐体に対して上部筐体が下部筐体の左右方向の一方側へ移動して下部筐体の上面の中央部及び左右方向の他方側が露出した状態である。
【００２６】
上記の携帯端末によれば、上述した単一の機構で、上面閉塞状態、後部側上面露出状態、及び、中央部上面露出状態の、これら３状態の相互間を自由に移行させることができる。従って、従来例におけるような、複数の異なる機構を重ねる構成にするのとは異なり、携帯端末の厚さが増えることを抑制することができる。
【００２７】
また、後部側上面露出状態から中央部上面露出状態にする場合、或いは、中央部上面露出状態から後部側上面露出状態にする場合に、一旦、上面閉塞状態に戻す必要がなく、直接移行させることができ、携帯端末における迅速な操作を可能とすることができる。
【００２８】
また、２個の基点は、双方共下部筐体の側辺端の傍に位置しているので、中央部上面露出状態において、下部筐体の上面の露出部分を広くすることができる。
【００２９】
具体的には、上記の携帯端末では、上部筐体を、上面閉塞状態から下部筐体の上面に沿ってＣＷ（Clock Wise 時計回り）方向に移動させると、後部側上面露出状態、中央部上面露出状態と移行して、上面閉塞状態に戻るようにすることができる。
【００３０】
或いは、上部筐体を、上面閉塞状態から下部筐体の上面に沿ってＣＣＷ（Counter Clock Wise 反時計回り）方向に移動させると、中央部上面露出状態、後部側上面露出状態と移行して、上面閉塞状態に戻るようにすることができる。
【００３１】
上記の携帯端末において、下部筐体に、基点を軸中心とした円柱状の基点軸が回転自在に挿入された軸受孔を備え、基点軸を、回動板に固定するようにしてもよい。
【００３２】
このようにすることにより、下部筐体に対して上部筐体を、上面閉塞状態、後部側上面露出状態、及び、中央部上面露出状態の、これら３状態の相互間を自由に移行させる際に、移行動作をスムースに行うことができる。
【００３３】
このように、移行動作をスムースに行うことができるのは、次の理由による。即ち、上記の移行動作を行わせる際には、回動板を回動させながら、この回動板を、基点軸を中心にして回転させるが、この基点における回転軸が円柱状で、基点における回転が、軸受孔内の円柱状の回転軸を回転させることになる。
【００３４】
そのため、回転軸が細い軸の場合に比べて、上記の円柱状のような太い回転軸では、該回転軸の円周が長くなり、回転軸にかかる力を分散させることができるからである。
【００３５】
また、上記の携帯端末において、２個の回動板を、相互に独立して回転する同形状の歯車で形成し、且つ、これらの２個の歯車の双方に螺合する中間歯車を備えるようにするのが、好適である。
【００３６】
このようにすることにより次のような作用、効果を奏することができる。即ち、上記の携帯端末では、上述したように、上部筐体の移動により、２個の基点と２個の回動中心点とが一直線上に並んだときに、２個の回動板が同期して回動していない場合は、このとき以降の２個の基点の移動が、異なる方向になることがある。このような、２個の基点の移動が異なる方向になると、上部筐体の移動は、下部筐体に対する平行移動にはならない。
【００３７】
しかし、２個の回動板が同形状の歯車で形成されており、且つ、上記の中間歯車が存在していることにより、２個の回動板は、中間歯車を介して相互に同期して回動する。そのため、２個の基点と２個の回動中心点とが一直線上に並んだときも、このとき以降の２個の回動板の回動の同期は保持されるので、２個の基点の移動は同じ方向を継続し、下部筐体に対する上部筐体の平行移動を継続することができる。
【００３８】
回動板に歯車を用いた上記の携帯端末において、２個の歯車、及び、中間歯車は、上部筐体の下面側から該上部筐体内に陥没させて配設するようにしてもよい。
【００３９】
このようにすることにより、歯車や中間歯車を外から見えなくすることができ、携帯端末の外観をすっきりさせることができる。また、携帯端末の厚さを薄くすることができる。
【００４０】
また、回動板に歯車を用いた上記の携帯端末において、次のような構成を採用してもよい。即ち、下部筐体に、基点を軸中心とした円柱状の基点軸が回転自在に挿入された軸受孔を備え、基点軸を、基点が歯車の外周線よりも外側に位置するように回動板に固定するのである。
【００４１】
このようにすることにより、上部筐体が中央部上面露出状態のときに、基点が歯車の外周線よりも外側に位置するので、基点が歯車の外周線上にある場合に比べて、下部筐体の上面の露出部分を広くすることができる。
【００４２】
また、回動板に歯車を用いた上記の携帯端末において、一方の歯車の歯形成範囲を、該歯車の全周の一部とするようにしてもよい。この場合は、下部筐体に対する上部筐体の移動を、例えば、次のようにすることができる。
【００４３】
即ち、上部筐体を、上面閉塞状態から下部筐体の上面に沿ってＣＷ方向に移動させて、後部側上面露出状態、中央部上面露出状態と移行した後は、ＣＷ方向に移動するのを阻止するようにする。
【００４４】
この場合は、上面閉塞状態に戻すには、上部筐体をＣＣＷ方向に移動させて、中央部上面露出状態から後部側上面露出状態とし、さらに、上部筐体をＣＣＷ方向に移動させて上面閉塞状態にする。また、この場合、上面閉塞状態からＣＣＷ方向に移動するのは、阻止するようにする。
【００４５】
上記のほか、上記の一方の歯車の歯形成範囲を、上記とは異なる部分とすることにより、下部筐体に対する上部筐体の移動を、次のようにすることもできる。
【００４６】
即ち、上面閉塞状態から、上部筐体を下部筐体に対してＣＷ方向に移動させて後部側上面露出状態へ移行した後は、ＣＷ方向に移動するのを阻止するようにする。また、上部筐体を上面閉塞状態から下部筐体に対してＣＣＷ方向に移動させて中央部上面露出状態へ移行した後は、ＣＣＷ方向に移動するのを阻止するようにするのである。
【００４７】
この場合は、上部筐体を最初に移動させたのとは逆の方向に移動することにより、上部筐体を上面閉塞状態に戻すことができる。
【発明の効果】
【００４８】
本発明によれば、携帯端末において、２個の基点と２個の回動中心点とが平行四辺形の四隅を形成するように、回動板が上部筐体と下部筐体とに支持されている。従って、２個の基点と２個の回動中心点とが四隅を形成する平行四辺形の形状が変化することにより、下部筐体に対する上部筐体の移動が生じる。
【００４９】
このときの上記の２個の基点の移動は同じ方向である。そのため、上部筐体の移動は、下部筐体に対する平行移動となり、この上部筐体の下部筐体に対する平行移動により、上部筐体を下部筐体に対してスライドさせることができる。
【００５０】
また、携帯端末において、２個の回動板は、同期して回動するようにしており、２個の基点と２個の回動中心点とが一直線上に並んだときも、このとき以降の２個の回動板の回動の同期は保持されるので、２個の基点の移動は同じ方向を継続し、下部筐体に対する上部筐体の平行移動を継続することができる。
【００５１】
また、携帯端末において、単一の機構で、上面閉塞状態、後部側上面露出状態、及び、中央部上面露出状態の、これら３状態の相互間を自由に移行させることができる。従って、従来例におけるような、複数の異なる機構を重ねる構成にするのとは異なり、携帯端末の厚さが増えることを抑制することができる。
【００５２】
また、携帯端末において、後部側上面露出状態から中央部上面露出状態にする場合、或いは、中央部上面露出状態から後部側上面露出状態にする場合に、一旦、上面閉塞状態に戻す必要がなく、直接移行させることができ、携帯端末における迅速な操作を可能とすることができる。
【００５３】
また、２個の基点は、双方共下部筐体の側辺端の傍に位置しているので、中央部上面露出状態において、下部筐体の上面の露出部分を広くすることができる。
【図面の簡単な説明】
【００５４】
【図１】実施の形態における携帯端末の外観を示した斜視図である。
【図２】実施の形態における携帯端末の上部筐体が下部筐体に対してスライドされた状態を示した斜視図（その１）である。
【図３】実施の形態における携帯端末の上部筐体が下部筐体に対してスライドされた状態を示した斜視図（その２）である。
【図４】実施の形態における携帯端末の上部筐体が下部筐体に対してスライドされた状態を示した斜視図（その３）である。
【図５】実施の形態における携帯端末の上部筐体が下部筐体に対してスライドされた状態を示した斜視図（その４）である。
【図６】実施の形態における携帯端末の上部筐体が下部筐体に対してスライドされた状態を示した斜視図（その５）である。
【図７】実施の形態における携帯端末の構成を示した分解斜視図である。
【図８】実施の形態における携帯端末の内部状態を示した平面図である。
【図９】実施の形態における携帯端末の上部筐体が下部筐体に対してスライドされた内部状態を示した平面図（その１）である。
【図１０】実施の形態における携帯端末の上部筐体が下部筐体に対してスライドされた内部状態を示した平面図（その２）である。
【図１１】実施の形態における携帯端末の第１回動板歯車と第２回動板歯車とが同期して回動しない場合の内部状態を示した平面図（その１）である。
【図１２】実施の形態における携帯端末の第１回動板歯車と第２回動板歯車とが同期して回動しない場合の内部状態を示した平面図（その２）である。
【図１３】実施の形態における携帯端末の第２回動板歯車の歯形成範囲を該歯車の全周の一部とした例における内部状態を示した平面図（その１）である。
【図１４】実施の形態における携帯端末の第２回動板歯車の歯形成範囲を該歯車の全周の一部とした例における内部状態を示した平面図（その２）である。
【図１５】実施の形態における携帯端末の第２回動板歯車の歯形成範囲を該歯車の全周の一部とした例における内部状態を示した平面図（その３）である。
【図１６】実施の形態における携帯端末の第２回動板歯車の歯形成範囲を該歯車の全周の一部とした他の例における内部状態を示した平面図（その１）である。
【図１７】実施の形態における携帯端末の第２回動板歯車の歯形成範囲を該歯車の全周の一部とした他の例における内部状態を示した平面図（その２）である。
【図１８】実施の形態における携帯端末の第２回動板歯車の歯形成範囲を該歯車の全周の一部とした他の例における内部状態を示した平面図（その３）である。
【図１９】実施の形態における携帯端末の第１基点軸及び第２基点軸を異なる位置に固定した内部状態を示した平面図（その１）である。
【図２０】実施の形態における携帯端末の第１基点軸及び第２基点軸を異なる位置に固定した内部状態を示した平面図（その２）である。
【図２１】実施の形態における携帯端末の第１基点軸及び第２基点軸を異なる位置に固定した内部状態を示した平面図（その３）である。
【図２２】実施の形態におけるクランク機構を用いた携帯端末の内部状態を示した分解斜視図である。
【図２３】実施の形態におけるクランク機構を用いた携帯端末の内部状態を示した平面図（その１）である。
【図２４】実施の形態におけるクランク機構を用いた携帯端末の内部状態を示した平面図（その２）である。
【図２５】実施の形態におけるクランク機構を用いた携帯端末の内部状態を示した平面図（その３）である。
【発明を実施するための形態】
【００５５】
次に、本発明の実施の形態における携帯端末について、図面を用いて詳細に説明する。まず、本実施の形態における携帯端末１の構成について説明する。図１は、本実施の形態における携帯端末１の外観を示した斜視図であり、図７は、この携帯端末１の構成を示した分解斜視図である。
【００５６】
尚、図１では、図における３次元の各方向が、図面に向かって上方が前方、下方が後方、左方向が左方向、右方向が右方向、手前が上方、そして、奥が下方である。この３次元の各方向は、後述する図２〜図６、図８〜図２１、図２３〜図２５においても同様である。
【００５７】
図１、図７において、本実施の形態における携帯端末１は、主として、下部筐体２、上部筐体３、回動板歯車ホルダー４、第１回動板歯車５、第２回動板歯車６、及び、中間歯車７で構成される。
【００５８】
下部筐体２には、携帯端末１の機能を担うＬＳＩ等で構成される電子回路や電池等が内蔵される。また、下部筐体２の後部側上面２ｂ、及び、中央部上面２ｃには、キーボードが備えられる。この内、中央部上面２ｃに備えられているキーボードは、フルキーボードである。
【００５９】
この下部筐体２の上には、この下部筐体２に重ねて、上部筐体３載置される。この、上部筐体３には、表示ディスプレイ部１０等が備えられる。
【００６０】
本実施の形態における携帯端末１は、上部筐体３が、下部筐体２に対してスライド可能な携帯端末である。このスライド機能を実現するために、携帯端末１には、回動板歯車ホルダー４、第１回動板歯車５、第２回動板歯車６、及び、中間歯車７が備えられている。
【００６１】
即ち、上部筐体３の上部筐体下面３ａには、内側に凹んだ内部空間が形成されており、この内部空間に、回動板歯車ホルダー４が嵌入されて備えられている。この回動板歯車ホルダー４には、図８に示すように、２個の回動板歯車として、第１回動板歯車５、及び、第２回動板歯車６と、中間歯車７とが内蔵して、備えられている。
【００６２】
尚、図８は、携帯端末１から上部筐体３及び、回動板歯車ホルダー４の回動板歯車ホルダー上面４ｂをはずした状態の携帯端末１を、上方から見た平面図である。この状態は、図９〜図２４においても同様である。
【００６３】
図８において、２個の第１回動板歯車５、及び、第２回動板歯車６と、中間歯車７とは、次のような状態で備えられている。即ち、回動板歯車ホルダー４の下面４ａ、即ち、上部筐体３の下面３ａに沿って前後に、２個の第１回動板歯車５、及び、第２回動板歯車６が、併設されている。
【００６４】
これらの第１回動板歯車５、及び、第２回動板歯車６は、相互に直接螺合してはおらず、中間歯車７が、第１回動板歯車５、及び、第２回動板歯車６に螺合している。従って、第１回動板歯車５、及び、第２回動板歯車６は、中間歯車を介して相互に同期して回動する。
【００６５】
また、第１回動板歯車５、及び、第２回動板歯車６は、回動中心点である第１回動中心軸５ａ、及び、第２回動中心軸６ａが、回動板歯車ホルダー４、即ち、上部筐体３に、回動自在に、且つ、２個の第１回動中心軸５ａと、第２回動中心軸６ａとを結ぶ線が、回動板歯車ホルダー４の左右方向の略中央、即ち、上部筐体の左右方向の略中央に位置するようにして、回動板歯車ホルダー４、即ち、上部筐体３に支持されている。また、中間歯車７は、中間歯車中心軸７ａが回動板歯車ホルダー４、即ち、上部筐体３に支持されている。
【００６６】
また、下部筐体２の右側辺端２ｄの傍には、図７に示すように、円柱状の孔である第１基点軸受孔５ｃ、及び、第２基点軸受孔６ｃが設けられている。この第１基点軸受孔５ｄ、及び、第２基点軸受孔６ｄには、それぞれ、第１基点軸５ｂ、及び、第２基点軸６ｂが回転可能に挿入されている。
【００６７】
そして、これらの第１基点軸受孔５ｄ、及び、第２基点軸受孔６ｄに挿入されている円柱状の第１基点軸５ｂ、及び、第２基点軸６ｂを、第１回動板歯車５、及び、第２回動板歯車６に固定している。これらの第１基点軸受孔５ｃ、及び、第２基点軸６ｂの第１回動板歯車５、及び、第２回動板歯車６への固定は、それぞれ、次のようにして、行われている。
【００６８】
即ち、第１基点軸５ｂ、及び、第２基点軸６ｂの中心点である第１基点５ｃ、及び、第２基点６ｃが、第１回動板歯車５、及び、第２回動板歯車６の回動中心点である第１回動中心軸５ａ、第２回動中心軸６ａから、それぞれ、同一半径の円軌道上から外側に位置するようにして、第１基点軸５ｂ、及び、第２基点軸６ｂが、それぞれ、第１回動板歯車５、及び、第２回動板歯車６に取付られている。
【００６９】
また、同時に、２個の第１基点５ｃ、及び、第２基点６ｃと、２個の第１回動中心軸５ａ、及び、第２回動中心軸６ａとが、平行四辺形の四隅を形成するようにして、第１基点軸５ｂ、及び、第２基点軸６ｂが、それぞれ、第１回動板歯車５、及び、第２回動板歯車６に取付られている。
【００７０】
また、携帯端末１では、図８に示すように、下部筐体２の上面２ａが上部筐体３で閉塞されている上面閉塞状態では、第１回動板歯車５、及び、第２回動板歯車６において、第１基点５ｃ、及び、第２基点６ｃは、それぞれ、第１回動中心軸５ａ、及び、第２回動中心軸６ａよりも前方に位置している。
【００７１】
上述したように、携帯端末１は、上部筐体３が、下部筐体２に対してスライド可能な携帯端末である。そこで、次に、このスライド動作について説明する。図１は、携帯端末１の下部筐体２の上面２ａが上部筐体３で閉塞されている上面閉塞状態における外観を示した斜視図であり、図２〜図６は、上部筐体３が、下部筐体２に対してスライドされた状態を示した斜視図である。また、図８〜図１０は、上部筐体３が、下部筐体２に対してスライドされた各段階における携帯端末１の内部状態を示した平面図であり、図８は図１に、図９は図３に、図１０は図５に、それぞれ対応している。
【００７２】
上記の携帯端末１では、上述したように、２個の第１基点５ｃ、及び、第２基点６ｃと、２個の第１回動中心軸５ａ、及び、第２回動中心軸６ａとが、平行四辺形の四隅を形成するように、第１回動板歯車５、及び、第２回動板歯車６が、上部筐体３と下部筐体２とに支持されている。従って、２個の第１基点５ｃ、及び、第２基点６ｃと２個の第１回動中心軸５ａ、及び、第２回動中心軸６ａとが、四隅を形成する平行四辺形の形状が変化することにより、下部筐体２に対する上部筐体３の移動が生じる。
【００７３】
このときの上記の２個の第１基点５ｃ、及び、第２基点６ｃの移動は同じ方向である。そのため、上部筐体３の移動は、下部筐体２に対する平行移動となり、この上部筐体３の下部筐体２に対する平行移動により、上部筐体３を下部筐体２に対してスライドさせることができる。
【００７４】
即ち、上部筐体３を、２個の第１回動中心軸５ａ、及び、第２回動中心軸６ａが、それぞれ、２個の第１基点５ｃ、及び、第２基点６ｃを回転中心として円運動するようにして、下部筐体２の上面２ａに沿って移動させると、相対的に２個の第１基点５ｃ、及び、第２基点６ｃが、それぞれの円軌道上を回動することにより、上部筐体３を下部筐体２に対してスライドさせることができる。
【００７５】
このスライド動作としては、例えば、図１からスタートして、図２、図３、図４、図５、図６と移行して、再度、図１に戻る流れとなる。この内、図１が、下部筐体２の上面２ａが上部筐体３で閉塞されている上面閉塞状態であり、図３が、下部筐体２に対して上部筐体３が前方へ移動して下部筐体２の上面２ａの後部側である下部筐体後部側上面２ｂが露出した後部側上面露出状態であり、図５が、下部筐体２に対して上部筐体３が下部筐体２の左右方向の一方側へ移動して下部筐体２の上面２ａの中央部である下部筐体中央部上面２ｃ及び左右方向の他方側である下部筐体右側辺端２ｄが露出した中央部上面露出状態である。
【００７６】
また、図２は、図１の上面閉塞状態と図３の後部側上面露出状態との相互移行における途中の段階であり、図４は、図３の後部側上面露出状態と図５の中央部上面露出状態との相互移行における途中の段階であり、図６は、図５の中央部上面露出状態と図１の上面閉塞状態との相互移行における途中の段階である。
【００７７】
即ち、上記の場合は、上部筐体３を、上面閉塞状態（図１）から下部筐体２の上面２ａに沿ってＣＷ方向に移動させると、途中状態（図２）、後部側上面露出状態（図３）、途中状態（図４）、中央部上面露出状態（図５）、途中状態（図６）と移行して、上面閉塞状態（図１）に戻る動きとなる。
【００７８】
或いは、上部筐体３を、上面閉塞状態（図１）から下部筐体２の上面２ａに沿ってＣＣＷ方向に移動させると、途中状態（図６）、中央部上面露出状態（図５）、途中状態（図４）、後部側上面露出状態（図３）、途中状態（図２）と移行して、上面閉塞状態（図１）に戻る動きとなる。
【００７９】
上記の携帯端末１では、上述したように、中間歯車７が、第１回動板歯車５、及び、第２回動板歯車６に螺合しており、第１回動板歯車５、及び、第２回動板歯車６は、中間歯車７を介して相互に同期して回動する。そこで、この同期により、次のような作用をもたらす。
【００８０】
即ち、上部筐体３の移動により、図１１に示すように、２個の第１基点５ｃ、及び、第２基点６ｃと、２個の第１回動中心軸５ａの中心、及び、第２回動中心軸６ａの中心とが一直線上に並んだときに、仮に、中間歯車７が存在していない場合、このとき以降の２個の第１基点５ｃ、及び、第２基点６ｃの移動は、２個の第１回動板歯車５と第２回動板歯車６とは同期して回動しないので、図１２に示すように、異なる方向になることがある。このような、２個の第１基点５ｃ、及び、第２基点６ｃの移動が異なる方向になると、上部筐体３の移動は、図１２に示すように、下部筐体２に対する平行移動にはならない。
【００８１】
しかし、２個の第１回動板歯車５、及び、第２回動板歯車６に対しては、上述したように、中間歯車７が螺合しており、２個の第１回動板歯車５、及び、第２回動板歯車６は、相互に同期して回動するので、２個の第１基点５ｃ、及び、第２基点６ｃと、２個の第１回動中心軸５ａの中心、及び、第２回動中心軸６ａの中心とが一直線上に並んだときも、このとき以降の２個の第１回動板歯車５と第２回動板歯車６の回動の同期は保持されるので、２個の第１基点５ｃ、及び、第２基点６ｃの移動は、同じ方向を継続し、下部筐体２に対する上部筐体３の平行移動を継続することができる。
【００８２】
また、上記の携帯端末１では、上述したように、下部筐体２に、第１基点５ｃ、及び、第２基点６ｃを軸中心とした円柱状の第１基点軸５ｂ、及び、第２基点軸６ｂが回転自在に挿入される第１基点軸受孔５ｄ、及び、第２基点軸受孔６ｄを備えている。そして、これらの円柱状の第１基点軸５ｂ、及び、第２基点軸６ｂを、第１回動板歯車５、及び、第２回動板歯車６に固定している。
【００８３】
そのため、下部筐体２に対して上部筐体３を、上面閉塞状態、後部側上面露出状態、及び、中央部上面露出状態の、これら３状態の相互間を自由に移行させる際に、移行動作をスムースに行うことができる。
【００８４】
このように、移行動作をスムースに行うことができるのは、次の理由による。即ち、上記の移行動作を行わせる際には、２個の第１回動板歯車５、及び、第２回動板歯車６を回動させながら、この２個の第１回動板歯車５、及び、第２回動板歯車６を、それぞれ、２個の第１基点軸５ｂ、及び、第２基点軸６ｂを中心にして回転させるが、この２個の第１基点軸５ｂ、及び、第２基点軸６ｂが円柱状である。
【００８５】
そのため、２個の第１基点軸５ｂ、及び、第２基点軸６ｂが細い軸の場合に比べて、上記の円柱状のような太い回転軸では、該回転軸の円周が長くなり、回転軸にかかる力を分散させることができるからである。
【００８６】
また、上記の携帯端末１では、上述したように、２個の第１基点軸５ｂ、及び、第２基点軸６ｂは、この２個の第１基点軸５ｂ、及び、第２基点軸６ｂの中心点である２個の第１基点５ｃ、及び、第２基点６ｃが、それぞれ、２個の第１回動板歯車５、及び、第２回動板歯車６の外周線よりも外側に位置するように、第１回動板歯車５、及び、第２回動板歯車６に固定されている。
【００８７】
そのため、上部筐体３が中央部上面露出状態のときに、２個の第１基点５ｃ、及び、第２基点６ｃが、２個の第１回動板歯車５、及び、第２回動板歯車６の外周線よりも外側に位置するので、２個の第１基点５ｃ、及び、第２基点６ｃが２個の第１回動板歯車５、及び、第２回動板歯車６の外周線上にある場合に比べて、下部筐体２の上面２ａの露出部分を広くすることができる。
【００８８】
上記の携帯端末１によれば、２個の第１基点５ｃ、及び、第２基点６ｃと、２個の第１回動中心軸５ａ、及び、第２回動中心軸６ａとが、平行四辺形の四隅を形成するように、第１回動板歯車５、及び、第２回動板歯車６が、上部筐体３と下部筐体２とに支持されている。従って、２個の第１基点５ｃ、及び、第２基点６ｃと２個の第１回動中心軸５ａ、及び、第２回動中心軸６ａとが、四隅を形成する平行四辺形の形状が変化することにより、下部筐体２に対する上部筐体３の移動が生じる。
【００８９】
このときの上記の２個の第１基点５ｃ、及び、第２基点６ｃの移動は同じ方向であるので、上部筐体３の移動は、下部筐体２に対する平行移動となり、この上部筐体３の下部筐体２に対する平行移動により、上部筐体３を下部筐体２に対してスライドさせることができる。
【００９０】
また、上記の携帯端末１では、２個の第１回動板歯車５、及び、第２回動板歯車６は、中間歯車７により、同期して回動するようにしているので、２個の第１基点５ｃ、及び、第２基点６ｃと、２個の第１回動中心軸５ａの中心、及び、第２回動中心軸６ａの中心とが一直線上に並んだときも、このとき以降の２個の第１回動板歯車５、及び、第２回動板歯車６の回動の同期は保持されるので、２個の第１基点５ｃ、及び、第２基点６ｃの移動は同じ方向を継続し、下部筐体２に対する上部筐体３の平行移動を継続することができる。
【００９１】
また、上記の携帯端末１では、上述したような単一の機構で、上面閉塞状態、後部側上面露出状態、及び、中央部上面露出状態の、これら３状態の相互間を自由に移行させることができるので、従来例におけるような、複数の異なる機構を重ねる構成にするのとは異なり、携帯端末１の厚さが増えることを抑制することができる。
【００９２】
また、上記の携帯端末１では、後部側上面露出状態から中央部上面露出状態にする場合、或いは、中央部上面露出状態から後部側上面露出状態にする場合に、一旦、上面閉塞状態に戻す必要がなく、直接移行させることができ、携帯端末１における迅速な操作を可能とすることができる。
【００９３】
また、２個の第１基点５ｃ、及び、第２基点６ｃは、双方共、下部筐体２の下部筐体右側辺端２ｄの傍に位置しているので、中央部上面露出状態において、下部筐体２の上面２ａの露出部分を広くすることができる。
【００９４】
また、上記の携帯端末１では、円柱状の孔である第１基点軸受孔５ｃ、及び、第２基点軸受孔６ｃが設けられており、この第１基点軸受孔５ｄ、及び、第２基点軸受孔６ｄには、それぞれ、円柱状の第１基点軸５ｂ、及び、第２基点軸６ｂが、それぞれ回転可能に嵌入されている。
【００９５】
そのため、第１基点軸５ｂ、及び、第２基点軸６ｂが細い軸で形成された場合と比べると、下部筐体２に対して上部筐体３を、上面閉塞状態、後部側上面露出状態、及び、中央部上面露出状態の、これら３状態の相互間を自由に移行させる際に、移行動作をスムースに行うことができる。
【００９６】
また、上記の携帯端末１では、上部筐体３が中央部上面露出状態のときに、２個の第１基点５ｃ、及び、第２基点６ｃが、２個の第１回動板歯車５、及び、第２回動板歯車６の外周線よりも外側に位置するので、２個の第１基点５ｃ、及び、第２基点６ｃが２個の第１回動板歯車５、及び、第２回動板歯車６の外周線上にある場合に比べて、下部筐体２の上面２ａの露出部分を広くすることができる。
【００９７】
また、上記の携帯端末１では、第１回動板歯車５、第２回動板歯車６、及び、中間歯車７は、上部筐体３の下面３ａ側から該上部筐体３内に陥没させて配設されているので、第１回動板歯車５、第２回動板歯車６、及び、中間歯車を外から見えなくすることができ、携帯端末１の外観をすっきりさせることができる。また、携帯端末１の厚さを薄くすることができる。
【００９８】
ところで、上記の携帯端末１では、第１回動板歯車５、第２回動板歯車６は、全周に歯が形成されているが、この歯の形成を、全周の一部とするようにしてもよい。図１３〜図１５は、第２回動板歯車６１の歯形成範囲を、該歯車の全周の一部とした場合のひとつの例を示した携帯端末１ａの内部状態を示した平面図である。
【００９９】
この図１３〜図１５では、上部筐体３を、上面閉塞状態（図１３）から下部筐体２の上面２ａに沿ってＣＷ方向に移動させて、後部側上面露出状態（図１４）、中央部上面露出状態（図１５）と移行した後は、これ以上、ＣＷ方向に移動するために第２回動板歯車６１に必要な歯が、第２回動板歯車６１に形成されていないので、ＣＷ方向に移動するのが阻止される。
【０１００】
この場合は、上面閉塞状態（図１３）に戻すには、上部筐体３をＣＣＷ方向に移動させて、中央部上面露出状態（図１５）から後部側上面露出状態（図１４）とし、さらに、上部筐体３をＣＣＷ方向に移動させて上面閉塞状態（図１３）にする。また、この場合、上面閉塞状態からＣＣＷ方向に移動するのは、これ以上、ＣＣＷ方向に移動するために第２回動板歯車６１に必要な歯が、第２回動板歯車６１に形成されていないので、ＣＣＷ方向に移動するのが阻止される。
【０１０１】
図１６〜図１８は、第２回動板歯車６の歯形成範囲を、該歯車の全周の一部とした場合の他の例を示した携帯端末１ｂの内部状態を示した平面図である。
【０１０２】
この図１６〜図１８では、上面閉塞状態（図１６）から、上部筐体３を下部筐体２に対してＣＷ方向に移動させて後部側上面露出状態（図１７）へ移行した後は、ＣＷ方向に移動するのを阻止するように、第２回動板歯車６２の歯形成範囲が決められている。
【０１０３】
また、上面閉塞状態（図１６）から、上部筐体３を下部筐体２に対してＣＣＷ方向に移動させて中央部上面露出状態（図１８）へ移行した後は、ＣＣＷ方向に移動するのを阻止するように第２回動板歯車６２の歯形成範囲が決められている。
【０１０４】
この場合は、上部筐体３を下部筐体２に対して、最初に移動させたのとは逆の方向に移動することにより、上部筐体３を上面閉塞状態（図１６）に戻すことができる。
【０１０５】
また、上記の携帯端末１では、上述した図８〜図１０に示すように、２個の第１基点軸５ｂ、及び、第２基点軸６ｂは、この２個の第１基点軸５ｂ、及び、第２基点軸６ｂの中心点である２個の第１基点５ｃ、及び、第２基点６ｃが、それぞれ、２個の第１回動板歯車５、及び、第２回動板歯車６の外周線よりも外側に位置するように、第１回動板歯車５、及び、第２回動板歯車６に固定されている。
【０１０６】
しかし、上記のようにはせずに、図１９〜図２１に示すように、２個の第１基点軸５ｂ、及び、第２基点軸６ｂを、この２個の第１基点軸５ｂ、及び、第２基点軸６ｂの中心点である２個の第１基点５ｃ、及び、第２基点６ｃが、それぞれ、２個の第１回動板歯車５、及び、第２回動板歯車６の外周線上、または、よりも内側に位置するように、第１回動板歯車５、及び、第２回動板歯車６に固定するようにしてもよい。
【０１０７】
しかし、この場合は、図８〜図１０に比べて、上述したように、上部筐体３が中央部上面露出状態のときに、下部筐体２の上面２ａの露出部分が狭くなるので、図８〜図１０のようにするのが推奨される。
【０１０８】
また、上記の携帯端末１では、上述した図８〜図１０に示すように、中間歯車７が、第１回動板歯車５、及び、第２回動板歯車６に螺合しており、第１回動板歯車５、及び、第２回動板歯車６は、中間歯車７を介して相互に同期して回動する。即ち、第１回動板歯車５と、第２回動板歯車６との回動を同期させるのに、第１回動板歯車５、及び、第２回動板歯車６に螺合する中間歯車７を用いている。
【０１０９】
しかし、上記の回動を同期させるのに、中間歯車７を用いる以外の方法も考えられる。図２２は、このような方法の例を示した携帯端末１ｃの内部状態を示した分解斜視図、図２３〜図２５は、その平面図である。尚、図２２、及び、図２３は、上面閉塞状態、図２４は、後部側上面露出状態、そして、図２５は、中央部上面露出状態である。
【０１１０】
この方法では、第１回動板５０、及び、第２回動板６０が回動中に、同期シャフトバー７０が、第１回動中心軸５０ａ、及び、第２回動中心軸６０ａに衝突しないようにするために、図２２に示すようなクランク機構を用いている。
【０１１１】
このクランク機構は、上述した第１回動板歯車５、第２回動板歯車６、及び、中間歯車７に代えて、第１回動板５０、第１回動中心軸５０ａ、第１クランク上レバー５０ｅ、第１クランク下レバー５０ｆ、第２回動板６０、第２回動中心軸６０ａ、第２クランク上レバー６０ｅ、第２クランク下レバー６０ｆ、クランクロッド７０、クランク第１結合軸７０ａ、及び、クランク第２結合軸７０ｂを用いて構成される。
【０１１２】
即ち、図２２において、クランクロッド７０の前端を、第１クランク上レバー５０ｅの先端と第１クランク下レバー５０ｆの先端で、クランクロッド７０の前端が回転可能にクランク第１結合軸７０ａで固定する。そして、第１クランク下レバーの５０ｆの基端を、第１回動中心軸５０ａに固定すると共に、第１クランク上レバー５０ｅの基端を、第１回動中心軸５０ａと同芯となるようにして、回動板歯車ホルダー４、即ち、上部筐体３に、第１クランク上レバー５０ｅが回転可能に支持する。
【０１１３】
同様にして、クランクロッド７０の後端を、第２クランク上レバー６０ｅの先端と第２クランク下レバー６０ｆの先端で、クランクロッド７０の後端が回転可能にクランク第２結合軸７０ｂで固定する。そして、第２クランク下レバー６０ｆの基端を、第２回動中心軸６０ａに固定すると共に、第２クランク上レバー６０ｅの基端を、第２回動中心軸６０ａと同芯となるようにして、回動板歯車ホルダー４、即ち、上部筐体３に、第２クランク上レバー６０ｅが回転可能に支持する。
【０１１４】
上記のようにすることで、図２３〜図２５に示すように、第１回動板５０と第２回動板６０とが同期して回動するようにすることができる。尚、上記の場合、図２２において、クランクロッド７０を、第１クランク下レバー５０ｆを用いずに、直接、クランクロッド７０の前端を、第１回動板５０に回転可能に取り付けるようにしてもよい。第２回動板６０に対しても、同様である。
【符号の説明】
【０１１５】
１  携帯端末
１ａ  携帯端末
１ｂ  携帯端末
１ｃ  携帯端末
２  下部筐体
２ａ  下部筐体上面
２ｂ  下部筐体後部側上面
２ｃ  下部筐体中央部上面
２ｄ  下部筐体右側辺端
３  上部筐体
３ａ  上部筐体下面
４  回動板歯車ホルダー
４ａ  回動板歯車ホルダー下面
４ｂ  回動板歯車ホルダー上面
５  第１回動板歯車
５ａ  第１回動中心軸
５ｂ  第１基点軸
５ｃ  第１基点
５ｄ  第１基点軸受孔
６  第２回動板歯車
６ａ  第２回動中心軸
６ｂ  第２基点軸
６ｃ  第２基点
６ｄ  第２基点軸受孔
７  中間歯車
７ａ  中間歯車中心軸
１０  表示ディスプレイ部
５０  第１回動板
５０ａ  第１回動中心軸
５０ｂ  第１基点軸
５０ｃ  第１基点
５０ｅ  第１クランク上レバー
５０ｆ  第１クランク下レバー
５１  第１回動板歯車
５１ａ  第１回動中心軸
５１ｂ  第１基点軸
５１ｃ  第１基点
５２  第１回動板歯車
５２ａ  第１回動中心軸
５２ｂ  第１基点軸
５２ｃ  第１基点
６０  第２回動板
６０ａ  第２回動中心軸
６０ｂ  第２基点軸
６０ｃ  第２基点
６０ｅ  第２クランク上レバー
６０ｆ  第２クランク下レバー
６１  第２回動板歯車
６１ａ  第２回動中心軸
６１ｂ  第２基点軸
６１ｃ  第２基点
６２  第２回動板歯車
６２ａ  第２回動中心軸
６２ｂ  第２基点軸
６２ｃ  第２基点
７０  クランクロッド
７０ａ  クランク第１結合軸
７０ｂ  クランク第２結合軸
【図１】
2011029846.tif 000003
【図２】
2011029846.tif 000004
【図３】
2011029846.tif 000005
【図４】
2011029846.tif 000006
【図５】
2011029846.tif 000007
【図６】
2011029846.tif 000008
【図７】
2011029846.tif 000009
【図８】
2011029846.tif 000010
【図９】
2011029846.tif 000011
【図１０】
2011029846.tif 000012
【図１１】
2011029846.tif 000013
【図１２】
2011029846.tif 000014
【図１３】
2011029846.tif 000015
【図１４】
2011029846.tif 000016
【図１５】
2011029846.tif 000017
【図１６】
2011029846.tif 000018
【図１７】
2011029846.tif 000019
【図１８】
2011029846.tif 000020
【図１９】
2011029846.tif 000021
【図２０】
2011029846.tif 000022
【図２１】
2011029846.tif 000023
【図２２】
2011029846.tif 000024
【図２３】
2011029846.tif 000025
【図２４】
2011029846.tif 000026
【図２５】
2011029846.tif 000027